【手続補正書】
【提出日】平成16年8月12日(2004.8.12)
【手続補正１】
【補正対象書類名】明細書
【補正対象項目名】発明の名称
【補正方法】変更
【補正の内容】
【発明の名称】データ処理装置及びデータ処理方法
【手続補正２】
【補正対象書類名】明細書
【補正対象項目名】特許請求の範囲
【補正方法】変更
【補正の内容】
【特許請求の範囲】
【請求項１】
複数種類のデータを記憶するメモリと、
前記メモリに対してそれぞれ独立にアクセスし、前記データに対して互いに異なる処理を行う複数の処理手段と、
前記複数の処理手段の間に設定された優先順位に基づいて前記複数の処理手段による前記メモリに対するアクセスを制御する制御手段と、
前記各処理手段が処理するデータの種類に応じて前記優先順位を変更する変更手段とを備えることを特徴とするデータ処理装置。
【請求項２】
前記複数の処理手段のうちの１つは、前記複数種類のデータを記録媒体に記録再生する記録再生手段と前記メモリとの間で前記複数種類のデータの入出力を行う記録データ入出力ブロックであり、
前記変更手段は、前記記録データ入出力ブロックが処理するデータの種類に応じて前記複数の処理手段における前記記録データ入出力ブロックの優先順位を変更することを特徴とする請求項１に記載のデータ処理装置。
【請求項３】
前記変更手段は、前記記録データ入出力ブロックが前記複数種類のデータのうち他のデータよりもデータ量が小さい所定のデータを処理する際の前記記録データ入出力ブロックの優先順位を、前記他のデータを処理する際の優先順位よりも高くすることを特徴とする請求項２に記載のデータ処理装置。
【請求項４】
前記複数種類のデータは、画像データ、音声データ及びサブコードデータを含み、
前記変更手段は、前記記録データ入出力ブロックが前記サブコードデータを処理する際の前記記録データ入出力ブロックの優先順位を、前記画像データ及び前記音声データを処理する際の優先順位よりも高くすることを特徴とする請求項２に記載のデータ処理装置。
【請求項５】
前記変更手段は、前記記録データ入出力ブロックが前記サブコードデータを処理する際の前記記録データ入出力ブロックの優先順位を、前記複数の処理手段の中で最も高くすることを特徴とする請求項４に記載のデータ処理装置。
【請求項６】
前記複数の処理手段のうちの１つは、前記複数種類のデータを記録媒体に記録再生する記録再生手段と前記メモリとの間で前記複数種類のデータの入出力を行う記録データ入出力ブロックであり、
前記変更手段は、前記複数の処理手段における前記記録データ入出力ブロックの優先順位を変更することを特徴とする請求項１に記載のデータ処理装置。
【請求項７】
前記変更手段は、前記複数の処理手段のうちの１つの処理手段が処理するデータの種類に応じて、前記複数の処理手段における前記１つの処理手段の優先順位を変更することを特徴とする請求項２に記載のデータ処理装置。
【請求項８】
複数種類のデータを記憶するメモリに対してそれぞれ独立にアクセスして互いに異なる処理を行う複数の処理手段により前記データを処理するデータ処理方法であって、
前記複数の処理手段の間に設定された優先順位に基づいて前記複数の処理手段による前記メモリに対するアクセスを制御する制御ステップと、
前記処理手段が処理するデータの種類に応じて前記優先順位を変更する変更ステップとを有することを特徴とするデータ処理方法。
【請求項９】
前記複数の処理手段のうちの１つは、前記複数種類のデータを記録媒体に記録再生する記録再生手段と前記メモリとの間で前記複数種類のデータの入出力を行う記録データ入出力ブロックであり、
前記変更ステップは、前記記録データ入出力ブロックが処理するデータの種類に応じて前記複数の処理手段における前記記録データ入出力ブロックの優先順位を変更することを特徴とする請求項８に記載のデータ処理方法。
【請求項１０】
前記変更ステップは、前記記録データ入出力ブロックが前記複数種類のデータのうち他のデータよりもデータ量が小さい所定のデータを処理する際の前記記録データ入出力ブロックの優先順位を、前記他のデータを処理する際の優先順位よりも高くすることを特徴とする請求項９に記載のデータ処理方法。
【請求項１１】
前記複数種類のデータは、画像データ、音声データ及びサブコードデータを含み、
前記変更ステップは、前記記録データ入出力ブロックが前記サブコードデータを処理する際の前記記録データ入出力ブロックの優先順位を、前記画像データ及び前記音声データを処理する際の優先順位よりも高くすることを特徴とする請求項９に記載のデータ処理方法。
【請求項１２】
前記変更ステップは、前記記録データ入出力ブロックが前記サブコードデータを処理する際の前記記録データ入出力ブロックの優先順位を、前記複数の処理手段の中で最も高くすることを特徴とする請求項１１に記載のデータ処理方法。
【請求項１３】
前記複数の処理手段のうちの１つは、前記複数種類のデータを記録媒体に記録再生する記録再生手段と前記メモリとの間で前記複数種類のデータの入出力を行う記録データ入出力ブロックであり、
前記変更ステップは、前記複数の処理手段における前記記録データ入出力ブロックの優先順位を変更することを特徴とする請求項８に記載のデータ処理方法。
【請求項１４】
前記変更ステップは、前記複数の処理手段のうちの１つの処理手段が処理するデータの種類に応じて、前記複数の処理手段における前記１つの処理手段の優先順位を変更することを特徴とする請求項９記載のデータ処理方法。
【手続補正３】
【補正対象書類名】明細書
【補正対象項目名】０００１
【補正方法】変更
【補正の内容】
【０００１】
【発明の属する技術分野】
本発明は、複数の処理手段が共通のメモリをアクセスしながらデータ処理を行うデータ処理装置及びデータ処理方法に関するものである。
【手続補正４】
【補正対象書類名】明細書
【補正対象項目名】０００７
【補正方法】変更
【補正の内容】
【０００７】
本発明は、上記問題点に鑑みて成されたもので、コストを上昇させることなく、データ量の異なる複数種類のデータを取り扱うことのできる、高機能なデータ処理装置及びデータ処理方法を実現することを目的とする。
【手続補正５】
【補正対象書類名】明細書
【補正対象項目名】０００８
【補正方法】変更
【補正の内容】
【０００８】
【課題を解決するための手段】
本発明のデータ処理装置は、複数種類のデータを記憶するメモリと、前記メモリに対してそれぞれ独立にアクセスし、前記データに対して互いに異なる処理を行う複数の処理手段と、前記複数の処理手段の間に設定された優先順位に基づいて前記複数の処理手段による前記メモリに対するアクセスを制御する制御手段と、前記各処理手段が処理するデータの種類に応じて前記優先順位を変更する変更手段とを備える。
【手続補正６】
【補正対象書類名】明細書
【補正対象項目名】０００９
【補正方法】変更
【補正の内容】
【０００９】
本発明のデータ処理方法は、複数種類のデータを記憶するメモリに対してそれぞれ独立にアクセスして互いに異なる処理を行う複数の処理手段により前記データを処理するデータ処理方法であって、前記複数の処理手段の間に設定された優先順位に基づいて前記複数の処理手段による前記メモリに対するアクセスを制御する制御ステップと、前記処理手段が処理するデータの種類に応じて前記優先順位を変更する変更ステップとを有する。
【手続補正７】
【補正対象書類名】明細書
【補正対象項目名】００１０
【補正方法】削除
【補正の内容】